(57)【要約】【課題】コンタクトの耐用を向上させ、カバーとなるバックロック式のレバーの開閉状態を確実に維持する低背型ＦＰＣ用ＺＩＦコネクタを提供する。【解決手段】絶縁性のハウジング１０は複数の二股コンタクト４０を配列する。バックロック型のレバー３０はハウジング１０の後方の上面解放端部１７に回動可能に保持される。二股コンタクト４０は上腕４２ａと下腕４２ｂを備える。下腕４２ｂはハウジング１０に固定され、相反側には略Ｕ字状の溝４５を形成する二股の係合アーム４４が突出する。上腕４２ａは係合アーム４４に連接し、レバー３０は回転軸３１と握持部３２で一体に構成される。回転軸３１の周囲は板カム３３ａとなって係合アーム４４と連結するカム装置を構成する。レバー３０の回動により板カム３３ａが係合アーム４４を変位させてコンタクト部４２の開きを調整できる。【選択図】        図１
2005108464.tif 000002
【特許請求の範囲】
【請求項１】
ＦＰＣが開口部に挿入され、複数の二股コンタクトが前記ＦＰＣと電気的に接続するＦＰＣ用ＺＩＦコネクタであって、
前方に前記開口部を有しており、前記複数の二股コンタクトを配列する絶縁性のハウジングと、該ハウジングの後方は上面開放端部となっており、該上面開放端部に回動可能に保持されるバックロック型のレバーと、を備えており、
前記二股コンタクトは基部が前記ハウジングに保持されており、該基部に上腕と下腕からなるコンタクト部が形成され、該コンタクト部は前記開口部内に開閉自在に配置され、該コンタクト部の相反側は二股の係合アームが突出して、該二股の係合アームで略Ｕ字状の溝が形成され、
前記レバーは回転軸と握持部で一体に構成されており、前記回転軸の周囲は第１の板カムとなって前記二股の係合アームと連結するカム装置を構成しており、
前記レバーを開けると前記板カムは前記係合アームを変位させて前記コンタクト部を開いた状態とし、前記レバーを閉じると前記板カムによる前記係合アームの変位が解除され、前記コンタクト部を閉じた状態に復帰することを特徴とするＦＰＣ用ＺＩＦコネクタ。
【請求項２】
前記ハウジングの両翼に一対の接合タブが配置され、該接合タブははんだ付けされて前記ハウジングをプリント基板に接合すると共に、前記接合タブは前記上面開放端部に延出して、前記回転軸の両端部を回動自在に保持していることを特徴とする請求項１記載のＦＰＣ用ＺＩＦコネクタ。
【請求項３】
前記回転軸は、剛体金属で形成され、該回転軸に絶縁性の前記握持部が一体成形されることを特徴とする請求項１記載のＦＰＣ用ＺＩＦコネクタ。
【請求項４】
前記回転軸の周囲は第２の板カムが形成されており、当該第２の板カムと前記上面開放端部の上面との密着によって前記レバーの閉じた状態が維持されていることを特徴とする請求項１から３のいずれかに記載のＦＰＣ用ＺＩＦコネクタ。
【請求項５】
前記第１の板カムと前記第２の板カムとが前記回転軸の軸方向に交互に配列されていることを特徴とする請求項４記載のＦＰＣ用ＺＩＦコネクタ。
【発明の詳細な説明】
【技術分野】
【０００１】
本発明は、ＦＰＣ（Ｆｌｅｘｉｂｌｅ  Ｐｒｉｎｔｅｄ  Ｃｉｒｃｕｉｔ）やＦＦＣ（Ｆｌｅｘｉｂｌｅ  Ｆｌａｔ  Ｃａｂｌｅ）等の平形柔軟ケーブルと接続するＦＰＣ用コネクタに関する。特に、ＦＰＣやＦＦＣ等の平形柔軟ケーブルの挿入時にほとんど力を必要としない、いわゆるＺＩＦ（Ｚｅｒｏ  Ｉｎｓｅｒｔｉｏｎ  Ｆｏｒｃｅ）タイプのＦＰＣ用ＺＩＦコネクタに関する。
【背景技術】
【０００２】
ＦＰＣには多数の端子が並列して設けられているが、このようなＦＰＣをプリント基板等に着脱可能に接続する場合には、多数のコンタクトが並列して設けられたＦＰＣ用コネクタが使用される。従来のＦＰＣ用コネクタは、例えば特許文献１や特許文献２等に開示されているように、コンタクトとＦＰＣの端子とを、操作部材を介して押圧して圧接（密着）させることによって、多数の端子を一括して接続すると共に、ＦＰＣが外れないように保持している。
【０００３】
特許文献１に開示のＦＰＣ用コネクタは、ハウジングの一面にＦＰＣを挿入するためのＦＰＣ挿入口を形成し、前記ハウジングの他面にカバーを挿入するためのカバー挿入孔を形成し、コンタクトは、前記カバー挿入孔に臨んで設けられると共に、前記カバーの挿入によって弾性変形する押圧片と、前記ＦＰＣ挿入口に臨んで設けられると共に、前記カバー挿入時の前記押圧片の弾性変形に連動して前記ＦＰＣに圧接する圧接片とを具備している。
【０００４】
これによって、ハウジングの一面に形成されたＦＰＣ挿入口にＦＰＣを挿入した後、ハウジングの他面に形成されたカバー挿入孔にカバーを挿入することによってコンタクトの押圧片が弾性変形し、この押圧片の弾性変形に連動してコンタクトの圧接片がＦＰＣに圧接する。これによってコンタクトとＦＰＣが圧接接続することになる。
【０００５】
一方、特許文献２に開示のＦＰＣ用コネクタは、前端に平型柔軟ケーブルの挿入口が設けられ、内部に並列して装着された複数の導電ターミナル（コンタクト）のコンタクトビームが前記挿入口に臨ませてある絶縁ハウジングと、絶縁ハウジングの後端側上部に、絶縁ハウジングの前後方向で回動可能に設けられたカバーとからなり、前記導電ターミナル（コンタクト）が、基部ビームとＵ字状のコンタクトビームが連結部を介して一体とされ、基部ビームの後端側に係合アームが設けられていると共に、コンタクトビームの後側に「てこアーム」が連設された構成とされ、並列された複数の導電ターミナル（コンタクト）の各係合アームで構成された係合部と前記カバーの係合部がカバーの回動を可能とするように互いに係合しており、かつ、前記「てこアーム」とカバーの後端側内面を対向させて、カバーの回動によって、「てこアーム」を介してＵ字状のコンタクトビームの対向部を開閉可能としてある。
【０００６】
これによって、カバーを回動させると、カバーの内面が「てこアーム」を移動させ、「てこアーム」の移動によって導電ターミナル（コンタクト）のコンタクトビームの開閉が行われる。コンタクトビームが開くと平型柔軟ケーブルの接続端をゼロ挿入力で挿入できる。コンタクトビームを閉じるとコンタクトビームの弾力で平型柔軟ケーブルとの間に接触圧が生ずる。また、平型柔軟ケーブルとコンタクトビーム間の接触圧はコンタクトビームの弾力で生ずるようにしており、かつ、コンタクトビームの開閉は「てこアーム」の作用を介しているので、カバーの回動に大きな力を必要としなくてもできる。
【特許文献１】実開平７−１８３８６号公報
【特許文献２】登録実用新案第３０１９２７９号公報
【発明の開示】
【発明が解決しようとする課題】
【０００７】
しかしながら、特許文献１に開示のＦＰＣ用コネクタは、コンタクトの押圧片が弾性変形し、この押圧片の弾性変形に連動してコンタクトの圧接片がＦＰＣに圧接することになっているので、ＦＰＣが接続されている時はコンタクトに常時変形応力が作用していることになり、例えば、クリープ現象などが発生し、コンタクトの耐用を損ねるといった不都合があった。
【０００８】
また、特許文献２に開示のＦＰＣ用コネクタは、導電ターミナル（コンタクト）の後側に連接された「てこ」式のアームで構成された係合部にカバーの係合部が係合して、カバーが回動されることになっているので、カバーを開閉する度に導電ターミナル（コンタクト）の後側に連接された「てこ」式のアームに負荷が掛かることになり、導電ターミナル（コンタクト）の耐用を損ねる。また、カバーはハウジングに係合されていないので、係合が外れ易く操作性が劣るという不都合があった。
【０００９】
本発明は、このような問題に鑑み、コンタクトの耐用を向上させると共に、カバーとなるバックロック式のレバーの開閉状態を確実に維持するＦＰＣ用ＺＩＦコネクタを提供することを目的とする。
【課題を解決するための手段】
【００１０】
発明者は、上記目的を満たすため、以下のような新たなコネクタを提供する。
【００１１】
（１）  ＦＰＣが開口部に挿入され、複数の二股コンタクトが前記ＦＰＣと電気的に接続するＦＰＣ用ＺＩＦコネクタであって、前方に前記開口部を有しており、前記複数の二股コンタクトを配列する絶縁性のハウジングと、該ハウジングの後方は上面開放端部となっており、該上面開放端部に回動可能に保持されるバックロック型のレバーと、を備えており、前記二股コンタクトは基部が前記ハウジングに保持されており、該基部に上腕と下腕からなるコンタクト部が形成され、該コンタクト部は前記開口部内に開閉自在に配置され、該コンタクト部の相反側は二股の係合アームが突出して、該二股の係合アームで略Ｕ字状の溝が形成され、前記レバーは回転軸と握持部で一体に構成されており、前記回転軸の周囲は第１の板カムとなって前記二股の係合アームと連結するカム装置を構成しており、前記レバーを開けると前記板カムは前記係合アームを変位させて前記コンタクト部を開いた状態とし、前記レバーを閉じると前期板カムによる前記係合アームの変位が解除され、前記コンタクト部を閉じた状態に復帰することを特徴とするＦＰＣ用ＺＩＦコネクタ。
【００１２】
本発明によれば、基部と上腕と下腕からなるコンタクト部と該コンタクト部の相反側に突出して略Ｕ字状の溝が形成された二股の係合アームとを備えた二股コンタクトがハウジングの開口部に配列されており、ハウジングの後方の上面開放端部には、回転軸と握持部で一体に構成されたバックロック型のレバーが回動可能に配置され、回転軸の周囲は第１の板カムとなって二股の係合アームと連結するカム装置を構成しており、レバーを開けると板カムは係合アームを変位させてコンタクト部を開いた状態にし、レバーを閉じると板カムによる係合アームの変位が解除され、コンタクト部を閉じた状態に復帰するので、レバーの回動でコンタクト部の上腕と下腕との間隔を広げたり狭めたりすることができることになる。
【００１３】
すなわち、レバーを開けると、板カムが係合アームを変位させ、この係合アームが変位することにより、コンタクト部の上腕が連動して弾性変形して上方に変位し、コンタクト部を開いた状態にする。この時のコンタクト部の上腕と下腕との間隔を挿入されるＦＰＣの接続端部の厚さよりも大きくなるようにしておくことで、ＦＰＣの抜き差しが僅かな挿入力できることになる。一方、レバーを閉じると板カムによる係合アームの変位が解除されて、コンタクト部の上腕が弾性復帰してコンタクト部を閉じた状態になるので、コンタクト部の弾力でＦＰＣが狭持されて接続状態を保持することができることになる。
【００１４】
このように、本発明のＦＰＣ用ＺＩＦコネクタは、レバーを回動して開けるとコンタクト部が開いた状態になり、ＦＰＣを挿入する際にほとんど力を必要としない、いわゆるＺＩＦコネクタとなる。また、レバーを回動して閉じると、コンタクト部の上腕が弾性復帰させた状態となりコンタクト部が閉じて挿入されたＦＰＣを狭持して接続状態を保持するので、ＦＰＣとの接続時にはコンタクト部には外部荷重が作用していないことになり、コンタクトの耐久性が向上することになる。
【００１５】
（２）  前記ハウジングの両翼に一対の接合タブが配置され、該接合タブははんだ付けされて前記ハウジングをプリント基板に接合すると共に、前記接合タブは前記上面開放端部に延出して、前記回転軸の両端部を回動自在に保持していることを特徴とする（１）記載のＦＰＣ用ＺＩＦコネクタ。
【００１６】
本発明によれば、ハウジングの両翼に配置された接合タブによって、ハウジングはプリント基板に接合され、さらに、この接合タブはレバーの回転軸の両端部を回動自在に保持している。ハウジングに圧入されるこの接合タブは、このコネクタをプリント基板に固着する機能と、回転軸の両端部を回動自在に保持する機能を合わせもっている。このように、接合タブに両機能をもたせることによりコネクタをコンパクトにできる。
【００１７】
（３）  前記回転軸は、剛体金属で形成され、該回転軸に絶縁性の前記握持部が一体成形されることを特徴とする（１）記載のＦＰＣ用ＺＩＦコネクタ。
【００１８】
本発明によれば、回転軸は剛体金属で形成されているので、レバーを開閉時に回転軸の撓みを少なくできる。尚、この回転軸は、把持部と一体成形後、金属露出部に絶縁皮膜が施されてもよい。
【００１９】
（４）  前記回転軸の周囲は第２の板カムが形成されており、当該第２の板カムと前記上面開放端部の上面との密着によって前記レバーの閉じた状態が維持されていることを特徴とする（１）から（３）のいずれかに記載のＦＰＣ用ＺＩＦコネクタ。
【００２０】
本発明によれば、第２の板カムと前記上面開放端部の側壁の密着によってレバーの閉じた状態が維持されているので、レバーの閉じられた状態が安定している。例えば、このコネクタを使用する装置において、レバーが不用意に開くことがなく、ＦＰＣの接続状態が維持される。
【００２１】
（５）  前記第１の板カムと前記第２の板カムとが前記回転軸の軸方向に交互に配列されていることを特徴とする（４）記載のＦＰＣ用ＺＩＦコネクタ。
【００２２】
本発明によれば、回転軸の軸方向に交互に配列された第２の板カムは上面開放端部の上面と密着しているので、レバーを開閉時に回転軸の撓みを少なくできる。
【発明の効果】
【００２３】
本発明のＦＰＣ用ＺＩＦコネクタは、後方に上面開放端部を有し、内部に複数の二股コンタクトを配列する絶縁性のハウジングと、この上面開放端部に回動可能に保持されるバックロック型のレバーと、を備えており、二股コンタクトはハウジングに保持される基部と、この基部に上腕と下腕からなるコンタクト部が形成され、コンタクト部の相反側には略Ｕ字状の溝を形成して二股の係合アームが突出して設けられおり、前記レバーは回転軸と握持部で一体に構成され、この回転軸の周囲は第１の板カムとなって二股の係合アームと連結するカム装置を構成しているので、このレバーを開けると板カムは係合アームを変位させてコンタクト部を開いた状態とし、ＦＰＣを挿入する際に僅かばかりの力で行うことができる。また、レバーを閉じると板カムによる係合アームの変位が解除され、コンタクト部を閉じた状態に復帰して、コンタクト部がその弾性力で挿入されたＦＰＣを狭持して接触状態を保持することができる。このように、レバーの操作だけでＦＰＣの接続が迅速にでき、かつ、コンタクトの極数に拘らず簡単に接続作業ができる。
【００２４】
また、コンタクト部が挿入されたＦＰＣを狭持して接続状態を保持していても、コンタクト部には外部荷重が作用していないので、例えば、クリープ現象等が発生してコンタクトの耐用を損ねるおそれがない。すなわち、ＦＰＣと接触させた接続時にはコンタクト部には外部荷重が作用していないことになり、コンタクトの耐久性が向上することになる。
【００２５】
また、前記ハウジングの両翼には一対の接合タブが上面開放端部に延出して、回転軸の両端部を該上面開放端部とで狭持する形で回動自在に保持しているので、レバーが回転軸を軸にして回動されても、ハウジングから外れることなく自在に回動できることになり、操作性に優れる。
【００２６】
回転軸の周囲は第２の板カムが形成されており、該第２の板カムと前記上面開放端部の上面との密着によって前記レバーの閉じた状態が維持されているので、レバーの閉じられた状態が安定していることになる。例えば、このコネクタを使用する装置において、レバーが不用意に開くことがなく、ＦＰＣの接続状態が維持できる。
【発明を実施するための最良の形態】
【００２７】
以下に、本発明の実施の形態について図面に基づいて説明する。
【００２８】
図１は、本発明による実施形態におけるＦＰＣ用ＺＩＦコネクタ（以下、コネクタと略称する）の構成を示す斜視図であり、要部を断面図としている。図２は本発明によるコネクタの平面図であり、図３は本発明によるコネクタの正面図であり、図４は本発明によるコネクタの側面図である。また、図５は本発明による実施形態におけるコネクタの斜視図であり、コネクタの一部を破断してＦＰＣが接続される前の状態を示している。図６は図５の縦断面図である。また、図７は本発明による実施形態におけるコネクタの斜視図であり、コネクタの一部を破断してＦＰＣが接続された状態を示している。また、図８は図７の縦断面図である。尚、これらの図では、判りやすくするために、縮尺率を適宜調整してある。
【００２９】
本発明のコネクタの実施形態について、図１乃至図４により説明する。
【００３０】
図１乃至図４において、ハウジング１０は絶縁性の合成樹脂材で成形されている。コネクタ１は、ハウジング１０と、回動可能なバックロック型のレバー３０を備えている。複数の二股コンタクト４０は、所定のピッチでハウジング１０に配列されている。これらの二股コンタクト４０は、例えば、金属薄板が精密打ち抜き加工されたものである。
【００３１】
ハウジング１０には、上壁１１と下壁１２とでＦＰＣ５０が挿入される開口部１３が形成され、この開口部１３に複数のコンタクト４０が受け入れられる。開口部１３の内壁には、ＦＰＣ５０の挿入方向と平行に、複数のコンタクト部４２を内装する溝１６が所定のピッチで形成されている。
【００３２】
図１および図４において、開口部１３の前面にＦＰＣ５０が挿入される挿入口１４を形成している。挿入口１４は、接続すべきＦＰＣ５０の接続端部が受け入れられる。
【００３３】
また、下壁１２には、二股コンタクト４０の基部４１を嵌入する嵌入孔１５が形成されている。嵌入孔１５は、各溝１６と同一に配置され、略中間部分から後方は溝１６と連通する。図１においてハウジング１０の後端側から二股コンタクト４０を装着できるようにしている。
【００３４】
ハウジング１０の後側（図１および図４において右側）部分は上方が開放された上面開放端部１７となっている。また、ハウジング１０の両翼１９には、孔２０が形成されている。この一対の孔２０に略Ｌ字状の金属製の接合タブ６０がハウジング１０の前部（挿入口１４側）から上面開放端部１７に向けて挿入されて固定される。
【００３５】
この接合タブ６０は、横設片がプリント基板（図示せず）にはんだ付けされて、ハウジング１０をプリント基板に接合される。また、接合タブ６０の終縁部はレバー３０の回転軸３１を回動自在に保持する。尚、この接合タブ６０は、微細突起６０ａが形成されており、接合タブ６０をハウジング１０に圧入すると、この微細突起６０ａがハウジング１０に食い込んで固着される（図４参照）。
【００３６】
図１に示されるように、二股コンタクト４０の基部４１は、ハウジング１０の下壁１２に沿って延出している。上腕４２ａと下腕４２ｂからなる略Ｕ字状のコンタクト部４２は連結部４３を介して下腕４２ｂで基部４１に連結されている。
【００３７】
さらに、コンタクト部４２の後方（図１および図４における右側）には、略Ｕ字状の溝４５が形成された二股の係合アーム４４が突出している。係合アーム４４は連結部４３から横設片となる片持ち梁となって、上腕４２ａと一体とした形で形成される。
【００３８】
基部４１は、その前端部を前記嵌入孔１５に嵌入して、この二股コンタクト４０をハウジング１０内に固定するためのものであって、略真直ぐな帯板状とされる。基部４１の後端下側には、ハウジング１０の外側に突出する接触子タブ４６が形成されている。また、基部４１の上縁には嵌入孔１５に圧入されるための微細突起４７が形成されている。
【００３９】
また、コンタクト部４２は、上腕４２ａと下腕４２ｂが先端方向に向けて斜めに傾斜して先端部が狭くなるように形成されており、その先端部内側に対向するようにして接点部４２ｃをそれぞれ突出させてある。
【００４０】
このように傾斜させることにより、コンタクト部４２の先端部分がハウジング１０の上壁１１および下壁１２から離間して空間が形成されているので、先端部分が上下に変位できることになる。
【００４１】
また、これら接点部４２ｃ間の間隔は、挿入されたＦＰＣ５０を押圧して保持できる程度、すなわち、ＦＰＣ５０の接続端部の厚みよりも多少狭く設定されている。
【００４２】
尚、ＦＰＣ５０の接続端部の厚みとしては、特に限定されるものでない。本発明のコネクタ１の使用する用途によるが、例えば、デジタルカメラ（ＤＳＣ、ＤＶＣ）や携帯電話等の用途に使用の場合には、０．３ｍｍ、０．２ｍｍ、０．１２ｍｍ厚のものが適用される。
【００４３】
二股コンタクト４０はハウジング１０の後方より挿入口１４に向けて挿入され、各溝１６に装着してある。この際、二股コンタクト４０の基部４１の前端がハウジング１０の嵌入孔１５に嵌入され、ハウジング１０の隔壁１８に基部４１の上縁に形成された微細突起４７が食い込んで固着される。これによって、二股コンタクト４０は、ハウジング１０内への嵌入が一定の位置で停止することになる。また、二股コンタクト４０がハウジング１０から抜け出るのが防止される。
【００４４】
このようにして、各二股コンタクト４０が配列された状態では、前記挿入口１４にコンタクト部４２が臨んでハウジング１０の開口部１３内に配置されている。
【００４５】
また、各接触子タブ４６の底面は、ハウジング１０の下壁１２の底面と略面一で外部に突出するようにしてある。この接触子タブ４６はプリント基板（図示せず）にはんだ付けされて、プリント基板に二股コンタクト４０を接続させることになる。
【００４６】
また、複数個のコンタクト部４２の長さは、全て同じ長さでなくてもよい。例えば、２種類の長さとして、長いものと短いものとを交互に配置して、挿入されたＦＰＣ５０との接点が千鳥状の配列になるようにしてもよい。こうすることで、ＦＰＣ５０を直線状に押圧（線圧）しないので、ＦＰＣ５０が座屈しない、または、折れ曲がらないという効果を奏する。
【００４７】
レバー３０は、金属製の円柱で形成された回転軸３１と絶縁性の合成樹脂材で成形された略方形板状の握持部３２とが一体構成されたもので、ハウジング１０の後側の上面開放端部１７の上面に収容されている。尚、回転軸３１としては、エナメル等の絶縁物皮膜で被覆した金属棒であってもよい。これにより、絶縁性がより優れることになる。
【００４８】
握持部３２には、ハウジング１０に形成された溝１６と同位置に二股コンタクト４０の係合アーム４４を避けるための開口溝３４が櫛の歯状に二股コンタクト４０と同数形成されている。
【００４９】
また、回転軸３１の周囲は第１の板カム３３ａと第２の板カム３３ｂが交互に配列される複合した板カム３３となっている。第１の板カム３３ａは二股の係合アーム４４と連結してカム装置を構成する。第１の板カム３３ａは、従動節のリフトが大きくなる部分Ａと従動節のリフトが小さくなる部分Ｂとが輪郭形成される。
【００５０】
図１において、第１の板カム３３ａは、二股の係合アーム４４で形成された溝４５内に位置するようにして配置される。図１および図４に示すように、回転軸３１の両端部が接合タブ６０の端部と上面開放端部１７とで狭持される形でレバー３０は回動自在に保持される。
【００５１】
また、隣り合う二股コンタクト４０の間には、第２の板カム３３ｂが配置され、図１に示すように、レバー３０をハウジング１０の後側の上面開放端部１７上に寝かせて閉じた状態において、第２の板カム３３ｂが上面開放端部１７の上面に密着するようになっている。
【００５２】
このレバー３０をハウジング１０に装着すると、第１の板カム３３ａが係合アーム４４に連結することになり、第１の板カム３３ａが係合アーム４４と連結するカム装置を構成することになり（図１参照）、レバー３０を回動すると、第１の板カム３３ａが係合アーム４４を変位できるようになる。
【００５３】
また、レバー３０を閉じると、図１のようにハウジング１０の上面開放端部１７上に収納され、ハウジング１０の後側を覆うことになり、カバー体としての役割を奏する。また、第２の板カム３３ｂが上面開放端部１７の上面に密着されているので、レバー３０が安定した形で上面開放端部１７上に保持されることになる。
【００５４】
次に、本発明のコネクタ１にＦＰＣ５０を接続する様子を図５乃至図８を参照にして説明する。
【００５５】
図５および図６はＦＰＣ５０を接続する前の状態図である。図５と図６に示すように、レバー３０を略垂直の位置に回動して開けると、係合アーム４４の溝４５にある第１の板カム３３ａが回転して、肉厚の部分Ａが下方に移動する。この移動によって、この部分Ａは二股コンタクト４０の係合アーム４４を下方に押し下げることになる。
【００５６】
この係合アーム４４が押し下げられると、二股のコンタクト部４２のうち基部４１と連結していない上腕４２ａが弾性変形して、その先端部分がハウジング１０の上壁１１側に変位して、二股のコンタクト部４２の先端部分の接点部４２ｃ間の間隔を広げることになる。この時の接点部４２ｃ間の間隔をＦＰＣ５０の接続端部の厚さよりも広くなるようにしておくことで、ＦＰＣ５０を無負荷で挿入できる。
【００５７】
次に、ＦＰＣ５０を挿入した後、図７と図８に示すように、レバー３０を略水平の位置に回動して閉じると、係合アーム４４の溝４５にある第１の板カム３３ａが回転して肉厚の部分Ａが挿入口１４側（図８における左側方向）に移動する。この移動によって、係合アーム４４側には第１の板カム３３ａの肉薄の部分Ｂが対向することになり、係合アーム４４に作用していた押し下げ力が解除されることになる。
【００５８】
これに伴って、これまで二股のコンタクト部４２の上腕４２ａに作用していた弾性変形も解除されて元に復帰することになる。これにより、上腕４２ａが元の状態に戻るので、接点部４２ｃ間の間隔も元の間隔に戻ることになる。
【００５９】
この接点部４２ｃ間の間隔を予め挿入されるＦＰＣ５０の接続端部の厚さより狭くなるようにしておくことで、挿入されたＦＰＣ５０を狭持して接続を保持できることになる。この場合、コンタクト部４２は、弾性復帰されているので、外部荷重等が作用していないことになり、耐用に優れることになる。
【００６０】
尚、この肉薄の部分Ｂは係合アーム４４に対向した状態においては、第１の板カム３３ａと係合アーム４４とは接触せずに隙間を有する構成となっているので、ＦＰＣ５０と二股コンタクト４０が接続されていても、電気的に短絡することはない。
【００６１】
以上のように本発明に係るコネクタに関して、例を示す図面を参照しつつ具体的に説明したが、本発明はもとより図示例に限定される訳ではなく、前述の趣旨に適合し得る範囲で適当に変更を加えて実施することも可能であり、それらはいずれも本発明の技術的範囲に包含される。
【図面の簡単な説明】
【００６２】
【図１】本発明による実施形態におけるコネクタの構成を示す斜視図であり、要部を断面図としている。
【図２】本発明によるコネクタの平面図である。
【図３】本発明によるコネクタの正面図である。
【図４】本発明によるコネクタの側面図である。
【図５】本発明による実施形態におけるコネクタの斜視図であり、コネクタの一部を破断してＦＰＣが接続される前の状態を示している。
【図６】図５の縦断面図である。
【図７】本発明による実施形態におけるコネクタの斜視図であり、コネクタの一部を破断してＦＰＣが接続された状態を示している。
【図８】図７の縦断面図である。
【符号の説明】
【００６３】
１  コネクタ
１０  ハウジング
１３  開口部
１７  上面開放端部
１９  両翼
３０  レバー
３１  回転軸
３２  握持部
３３  板カム
３３ａ  第１の板カム
３３ｂ  第２の板カム
４０  二股コンタクト
４１  基部  
４２  コンタクト部
４２ａ  上腕
４２ｂ  下腕
４４  係合アーム
４５  溝
５０  ＦＰＣ
６０  接合タブ
【図１】
2005108464.tif 000003
【図２】
2005108464.tif 000004
【図３】
2005108464.tif 000005
【図４】
2005108464.tif 000006
【図５】
2005108464.tif 000007
【図６】
2005108464.tif 000008
【図７】
2005108464.tif 000009
【図８】
2005108464.tif 000010